(57)【要約】      （修正有）【課題】釣り餌としての魚の損傷を抑え、餌持ちをよくする魚用キャップ及びそれを用いた釣り用仕掛け用具を提供する。【解決手段】魚用キャップ１０は、ワイヤ１１に取り付けられた魚Ｆの頭部を覆うためのものであり、先端側が閉じられた筒状に形成されている。魚用キャップ１０は、全体的に薄い緑色又は紫色などの蓄光性のゴム（弾性体）から構成されている。魚用キャップ１０は、主に、先端部を構成する略円柱状の円柱部１０ａと、円柱部１０ａの末端側に設けられた筒部１０ｂとから構成されている。円柱部１０ａ及び筒部１０ｂは、互いに一体に形成されている。仕掛け用具１は、魚用キャップ１０と、金属製のワイヤ１１（線材）と、ワイヤ１１に取り付けられ魚Ｆの頭部又は胴部を刺して貫通する第１のフック１２と、ワイヤ１１に取り付けられ魚Ｆの尾部を刺す第２のフック１３とを備える。【選択図】図１
0003228042.tif 000002
【実用新案登録請求の範囲】
【請求項１】
先端側が閉じられた筒状に形成され、
線材に取り付けられた釣り餌としての魚の頭部を覆う、魚用キャップ。
【請求項２】
請求項１記載の魚用キャップにおいて、
前記魚用キャップは弾性体から構成され、
先端側から末端側に向かって徐々に太くなり、前記魚の頭部を覆う覆い部が設けられた、魚用キャップ。
【請求項３】
請求項１又は２記載の魚用キャップにおいて、
外周面に、該外周面から径方向外側に突出し且つ筒軸方向に延びる少なくとも１つの板状のひれ部が設けられた、魚用キャップ。
【請求項４】
請求項３記載の魚用キャップにおいて、
前記ひれ部は、筒軸方向から見て、前記外周面の互いに異なる位置に設けられた、第１ひれ部と、第２ひれ部と、第３ひれ部とを含む、魚用キャップ。
【請求項５】
請求項１〜４のいずれか１項記載の魚用キャップを用いた釣り用仕掛けであって、
線材と、
前記線材に取り付けられ前記魚の頭部又は胴部を刺して貫通する第１のフックと、
先端寄りの位置に、前記線材がその外側から内側まで貫通する貫通孔が形成され、その内側において前記第１のフックが前記線材に取り付けられた、前記魚用キャップと
を備え、
前記魚用キャップにおける末端部の開口端部に、前記魚を貫通した第１のフックを保持する切れ込みが形成されている、
釣り用仕掛け用具。
【請求項６】
請求項５記載の釣り用仕掛け用具において、
前記第１のフックよりも前記魚用キャップの筒軸方向末端側の位置で、前記線材に取り付けられ、前記魚の胴部又は尾部を刺す第２のフックを備える、釣り用仕掛け用具。
【考案の詳細な説明】
【技術分野】
【０００１】
本考案は、魚用キャップとそれを用いた釣り用仕掛け用具に関する。
【背景技術】
【０００２】
特許文献１には、環状の針保持部と、前記針保持部に遊挿された２本の釣り針とを備える釣り用仕掛けが開示されている。この釣り用仕掛けでは、２本の釣り針を、釣り餌である魚の頭部側と尻尾側とにそれぞれ突き刺して、魚を取り付ける。
【０００３】
ところで、釣り竿に動きを与えるなどによって、釣り餌としての魚に、この魚が水中で泳いでいるかのようなアクションを与えると、対象魚の喰いつきがよくなる場合がある。
【先行技術文献】
【特許文献】
【０００４】
【特許文献１】実用新案登録第３１７２３５２号公報
【考案の概要】
【考案が解決しようとする課題】
【０００５】
しかし、特許文献１の釣り用仕掛けでは、釣り餌としての魚の全体が水中に露出しているので、この魚にアクションを与えると、水の抵抗により損傷を受けやすい。そうすると、この魚の形状が崩れるなどして、釣り餌として使用できなくなる。
【０００６】
本考案は斯かる点に鑑みてなされたものであり、その目的は、釣り餌としての魚の損傷を抑え、餌持ちをよくすることにある。
【課題を解決するための手段】
【０００７】
上記の目的を達成するために、この考案では、釣り餌としての魚の頭部を魚用キャップで覆うようにした。
【０００８】
具体的に、第１の考案は、先端側が閉じられた筒状に形成され、線材に取り付けられた釣り餌としての魚の頭部を覆う魚用キャップである。
【０００９】
この第１の考案では、魚用キャップが釣り餌としての魚の頭部を覆うので、水の抵抗による、この魚の損傷を抑えることができる。すなわち、餌持ちをよくすることができる。
【００１０】
第２の考案は、第１の考案において、前記魚用キャップは弾性体から構成され、先端側から末端側に向かって徐々に太くなり、前記魚の頭部を覆う覆い部が設けられている。
【００１１】
この第２の考案では、魚用キャップには、先端側から末端側に向かって徐々に太くなる覆い部が設けられているので、この覆い部が餌としての魚の頭部の形状に適合し、魚の頭部を覆いやすくなる。また、魚用キャップは弾性体から構成されているので、餌としての魚の頭部の形状及び大きさに適合するように弾性変形でき、餌としての魚の頭部をぴったりと覆うことができる。その結果、魚用キャップがこの魚に密着しやすくなり、魚が損傷を受けるのを抑えることができる。すなわち、餌持ちをよくすることができる。
【００１２】
第３の考案は、第１又は第２の考案において、外周面に、該外周面から径方向外側に突出し且つ筒軸方向に延びる少なくとも１つの板状のひれ部が設けられている。
【００１３】
この第３の考案では、魚用キャップの外周面に、外周面から外側に突出し且つ筒軸方向に延びる少なくとも１つのひれ部が設けられているので、餌としての魚Ｆが直進するようにアクションさせやすくなる。
【００１４】
第４の考案は、第３の考案において、前記ひれ部は、筒軸方向から見て、前記外周面の互いに異なる位置に設けられた、第１のひれ部と、第２のひれ部と、第３のひれ部とを含む。
【００１５】
この第４の考案では、ひれ部は、筒軸方向から見て、前記外周面の互いに異なる位置に設けられた３つのひれ部を含むので、潮の流れ（水流）によって魚用キャップが筒軸を中心に回転しても元に戻りやすくなる。
【００１６】
第５の考案は、第１〜第４の考案のいずれか１つに係る魚用キャップを用いた釣り用仕掛けであって、線材と、前記線材に取り付けられ前記魚の頭部又は胴部を刺して貫通する第１のフックと、先端寄りの位置に、前記線材がその外側から内側まで貫通する貫通孔が形成され、その内側において前記第１のフックが前記線材に取り付けられた、前記魚用キャップとを備え、前記魚用キャップにおける末端部の開口端部に、前記魚を貫通した第１のフックを保持する切れ込みが形成されている、釣り用仕掛け用具である。
【００１７】
この第５の考案では、線材に取り付けられた第１のフックが餌としての魚を刺して貫通するので、この魚を線材に容易に取り付けることができる。また、線材は、この魚の頭部を覆う魚用キャップの外側から内側まで貫通し、第１のフックが魚用キャップの内側で線材に取り付けられているので、線材に取り付けられた魚の頭部を魚用キャップが覆うという構成の釣り用仕掛け用具が得られる。すなわち、第１〜第４の考案の効果を奏する具体的な釣り用仕掛け用具が得られる。また、この魚を貫通する第１のフックが、切れ込みに引っ掛けられ保持されるので、この魚を魚用キャップに密着しやすくすることができる。その結果、魚が損傷を受けるのを抑えることができる。すなわち、餌持ちをよくすることができる。
【００１８】
第６の考案は、第５の考案において、前記第１のフックよりも前記魚用キャップの筒軸方向末端側の位置で、前記線材に取り付けられ、前記魚の胴部又は尾部を刺す第２のフックを備える。
【００１９】
この第６の考案では、第１のフックよりも末端側の位置で線材に取り付けられた第２のフックが、餌としての魚の胴部又は尾部を刺すので、第１のフックのみでこの魚を取り付ける場合に比べて、この魚を線材に安定して取り付けることができる。すなわち、この魚が線材から外れにくくなる。また、この魚が潮の流れなどによってちぎれるなどの損傷を受けるのを抑え、餌持ちをよくすることができる。
【考案の効果】
【００２０】
以上説明したように、本考案によると、釣り餌としての魚の損傷を抑えることができる。すなわち、餌持ちをよくすることができる。
【図面の簡単な説明】
【００２１】
【図１】実施形態に係る釣り用仕掛け用具に餌としての魚を取り付けた状態を、上側から示す一部透過図である。
【図２】図１に示す釣り用仕掛け用具及び餌としての魚を左側から示す側面図である。
【図３】図１に示す釣り用仕掛け用具における魚用キャップのIII−III断面図である。
【考案を実施するための形態】
【００２２】
以下、本考案の実施形態を図面に基づいて詳細に説明する。以下の好ましい実施形態の説明は、本質的に例示に過ぎず、本考案、その適用物或いはその用途を制限することを意図しない。
【００２３】
＜実施形態＞
図１及び２は本考案の実施形態に係る釣り用仕掛け用具１（以下、単に「仕掛け用具」という。）に餌としての魚Ｆ（以下、単に「魚」という。）を取り付けた状態を示している。なお、図１では、仕掛け用具１における後述する魚用キャップ１０の内側を透過させて示している。図３は、図１及び２に示す仕掛け用具１における魚用キャップ１０のIII−III断面図である。
【００２４】
仕掛け用具１は、魚用キャップ１０と、金属製のワイヤ１１（線材）と、ワイヤ１１に取り付けられ魚Ｆの頭部又は胴部を刺して貫通する第１のフック１２と、ワイヤ１１に取り付けられ魚Ｆの尾部を刺す第２のフック１３とを備える。
【００２５】
仕掛け用具１は、例えば、キビナゴ、ドジョウ、イワシ等の魚Ｆを取り付けることができ、これらを餌として、例えば、太刀魚、サバなどの青魚等を釣りの対象魚とすることができる。
【００２６】
―魚用キャップ―
魚用キャップ１０は、ワイヤ１１に取り付けられた魚Ｆの頭部を覆うためのものであり、先端側が閉じられた筒状に形成されている。魚用キャップ１０は、全体的に薄い緑色又は紫色などの蓄光性のゴム（弾性体）から構成されている。魚用キャップ１０は、主に、先端部を構成する略円柱状の円柱部１０ａと、円柱部１０ａの末端側に設けられた筒部１０ｂとから構成されている。円柱部１０ａ及び筒部１０ｂは、互いに一体に形成されている。
【００２７】
魚用キャップ１０の長さは、魚Ｆを仕掛け用具１から外れにくくし、且つ、対象魚が魚Ｆに喰いつくようにするという観点から決定すればよい。例として、魚Ｆがキビナゴである場合、魚用キャップ１０の長さは、キビナゴの長さの１／５〜３／５程度（例えば、３ｃｍ〜４ｃｍ程度）が好ましい。魚用キャップ１０を上側、左側、及び後側から見た形状は、それぞれ、図１〜３に示すように、魚Ｆの形状に沿った形状であり、その大きさは、魚Ｆの頭部を覆うように魚Ｆの頭部よりも大きく形成されている。
【００２８】
円柱部１０ａには、ワイヤ１１が魚用キャップ１０の外側から内側まで貫通するための貫通孔ｈが、形成されている。貫通孔ｈは、円柱部１０ａの先端側（すなわち、魚用キャップ１０の外側）及び末端側（すなわち、魚用キャップ１０の内側）に開口している。円柱部１０ａの筒軸方向の長さは、魚用キャップ１０の長さの１／１０程度であり、円柱部１０ａの径の大きさは、円柱部１０ａの筒軸方向の長さと同じ程度である。
【００２９】
筒部１０ｂは、先端側の第１部１０ｃと末端側の第２部１０ｄ（覆い部）とから構成されている。第１部１０ｃは、略円筒状に形成され、その径の大きさが、円柱部１０ａの径の大きさの２倍程度であり且つ筒軸方向で略一定に形成されている。第２部１０ｄは、魚Ｆの頭部を覆うように、魚Ｆの頭部の形状及び大きさに沿った形状及び大きさに形成されている。第２部１０ｄは、魚Ｆの頭部の形状に沿って、先端側から末端側に向かって徐々に太くなるように形成されている。第２部１０ｄにおける第１部１０ｃとの接続部分は、筒軸方向から見て第１部１０ｃと同じ径の円形状に形成されている。第２部１０ｄの末端部の左右方向の幅は第１部１０ｃの径の２倍程度であり、第２部１０ｄの末端部の上下方向の幅は第１部１０ｃの径の３倍〜４倍程度である。なお、筒部１０ｂの厚さは、例えば、０．５ｍｍ〜１ｍｍ程度である。
【００３０】
第２部１０ｄにおける末端部（魚用キャップ１０における末端部）の開口端部１０ｅは、図２に示すように、筒部１０ｂの上側部及び下側部から、左側部に向かって互いに近づくにつれて徐々に先端側に向かうように、左側から見て略Ｖ字状に形成されている。開口端部１０ｅの左側部の先端側には筒軸方向に延びるスリット（切れ込み）１０ｆが、開口端部１０ｅと連続して形成されている。なお、図示しないが、開口端部１０ｅの右側部の形状は左側部と対称となっており、その先端側には左側部のスリット１０ｆと対称な形状のスリット１０ｆが同様に形成されている。
【００３１】
左側及び右側から見た略Ｖ字状の開口端部１０ｅの筒軸方向の長さは、魚用キャップ１０の長さの１／５程度であり、スリット１０ｆの長さは、魚用キャップ１０の長さの１／１０程度である。スリット１０ｆの幅は、後述するように、第１のフック１２を保持できるように十分細ければよく、例えば、１ｍｍ程度である。
【００３２】
図３に示すように、第２部１０ｄの末端部近くの外周面ｓ（魚用キャップの外周面）には、外周面ｓから径方向外側に突出し且つ筒軸方向に延びる板状のひれ部１０ｇ〜１０ｉが設けられている。ひれ部１０ｇ〜１０ｉは、魚用キャップ１０の筒部１０ｂと一体に形成されている。なお、「径方向」とは、筒軸方向と垂直なあらゆる方向を意味し、「径方向外側に突出する」とは、径方向に沿って突出していればよく、外周面ｓと垂直に突出していなくてもよい。
【００３３】
ひれ部１０ｇ〜１０ｉは、筒軸方向から見て、外周面ｓの互いに異なる位置に設けられた、第１のひれ部１０ｇと、第２のひれ部１０ｈと、第３のひれ部１０ｉとを含む。
【００３４】
第１のひれ部１０ｇは、魚用キャップ１０の下側に設けられている。第１のひれ部１０ｇは、筒部１０ｂの第２部１０ｄの筒軸方向略中央から、末端側にいくにつれて外周面ｓから徐々に高くなり、更にその末端側では、高さが略一定か又は徐々に低くなり、開口端部１０ｅ又は開口端部１０ｅ近くまで形成されている。第１のひれ部１０ｇの外周面ｓからの高さは、最も高いところで筒部１０ｂの第１部１０ｃの径の大きさと同じ程度である。
【００３５】
第２のひれ部１０ｈ及び第３のひれ部１０ｉは、それぞれ、魚用キャップ１０の右上及び左上に設けられている。第２のひれ部１０ｈは、筒軸方向で第１のひれ部１０ｇの中央より少し先端側から形成され、末端側にいくにつれて徐々に高くなり、さらにその末端側では、高さが略一定で開口端部１０ｅ又は開口端部１０ｅ近くまで形成されている。第３のひれ部１０ｉは、第２のひれ部１０ｈと同じ形状に形成されており、筒軸方向の位置が、第２のひれ部１０ｈの位置と同じである。また、第２のひれ部１０ｈ及び第３のひれ部１０ｉを筒軸方向に沿って見ると、図３に示すように、第１のひれ部１０ｇを通る直線を対称軸として互いに線対称である。
【００３６】
第２のひれ部１０ｈ及び第３のひれ部１０ｉは、各板面の面積が、第１のひれ部１０ｇの板面の面積よりも小さい。なお、第１のひれ部１０ｇ〜第３のひれ部１０ｉの厚さは、いずれも互いに同じであり、例えば、０．５ｍｍ〜１ｍｍ程度である。
【００３７】
―ワイヤ及び規制部材―
ワイヤ１１は、魚用キャップ１０の円柱部１０ａの貫通孔ｈよりも少し細く形成されている。ワイヤ１１は、図１に示すように、魚用キャップ１０の外側から、魚用キャップ１０の円柱部１０ａの貫通孔ｈを通り、魚用キャップ１０の内側へ延び、更に魚Ｆの尾部の近くまで伸びている。
【００３８】
ワイヤ１１には、ワイヤ１１の魚用キャップ１０の筒軸方向への移動を規制するゴム製の第１の規制部材１４ａ及び第２の規制部材１４ｂが取り付けられている。第１の規制部材１４ａ及び第２の規制部材１４ｂは、いずれもワイヤ１１に沿って長い、回転楕円体状に形成されている。第１の規制部材１４ａ及び第２の規制部材１４ｂは、各長軸方向の長さが円柱部１０ａの長さの２倍程度であり、各短軸方向の長さが円柱部１０ａの径の大きさと同じ程度である。
【００３９】
第１の規制部材１４ａは、魚用キャップ１０の外側において円柱部１０ａに接するか又は円柱部１０ａと少し隙間を空けて配置されている。第２の規制部材１４ｂは、魚用キャップ１０の内側において円柱部１０ａに接するか又は円柱部１０ａと少し隙間を空けて配置されている。
【００４０】
また、ワイヤ１１には、ワイヤ１１に対する第１のフック１２の位置を規制する第３の規制部材１４ｃが取り付けられている。第３の規制部材１４ｃの材質、形状及び大きさは、第１の規制部材１４ａの材質、形状及び大きさと同じである。第３の規制部材１４ｃは、第２の規制部材１４ｂとの間に、後述する第１のフック１２のアイ１２ａを配置できる程度の隙間を空けて、第２の規制部材１４ｂの末端側に配置されている。
【００４１】
第１〜第３の規制部材１４ａ〜１４ｃは、長軸方向に沿って貫通孔（図示しない）が形成されており、この貫通孔をワイヤ１１が貫通している。各貫通孔の大きさは、ワイヤ１１の太さと同じ程度である。このため、第１の〜第３の規制部材１４ａ〜ｃは、ワイヤ１１との摩擦によって水中でワイヤ１１に対して移動しないものの、使用者が摩擦力に抗して力を加えれば、第１〜第３の規制部材１４ａ〜１４ｃをワイヤ１１に沿って動かすことができるように構成されている。
【００４２】
なお、ワイヤ１１の先端部（図１及び２において左側の端部）には、図示しないが、仕掛け用具１を道糸に取り付けるための、サルカンが取り付けられている。
【００４３】
―第１のフック―
第１のフック１２は、図１に示すように、魚用キャップ１０の内側において、第２の規制部材１４ｂと第３の規制部材１４ｃとの間でワイヤ１１に取り付けられている。第１のフック１２は、その針先部分を除いて、魚用キャップ１０の内側に配置されている。
【００４４】
第１のフック１２の長さは、魚用キャップ１０の長さの半分程度であり、第１のフック１２の幅は、魚用キャップ１０のスリット１０ｆが形成された位置における、魚用キャップ１０の左右方向の幅よりも少し大きい。
【００４５】
第１のフック１２は、ワイヤ１１に挿通されてワイヤ１１に取り付けられるリング状のアイ１２ａと、略Ｊ字状のフック本体１２ｂとから構成されている。フック本体１２ｂは、アイ１２ａとの接続部分から魚用キャップ１０の内側の右側面に沿って末端側へ延び、魚用キャップ１０の左側へ湾曲し、魚用キャップ１０の左側面に形成されたスリット１０ｆから、魚用キャップ１０の外側に出ている。フック本体１２ｂは、魚Ｆの右側のえらから、魚Ｆの左側のえらの少し後ろまでを貫通している。第１のフック１２は、針先部分が魚用キャップ１０のスリット１０ｆの先端部近くから魚用キャップ１０の外側に突出している。このように、第１のフック１２は、その針先部分がスリット１０ｆに引っ掛けられている。すなわち、魚用キャップ１０のスリット１０ｆは、魚Ｆを貫通した第１のフック１２を保持している。なお、第１のフック１２の針先部分の先端部には返しが形成されている。
【００４６】
アイ１２ａとフック本体１２ｂとの接続部分は、アイ１２ａがフック本体１２ｂよりも右側に位置するように、フック本体１２ｂの長尺部分から曲がって形成されている。この構成によって、アイ１２ａにワイヤ１１を挿通させつつ、フック本体１２ｂの長尺部分を筒部１０ｂの内側の右側面と魚Ｆの頭部との間に配置しやすくなっている。
【００４７】
―第２のフック―
第２のフック１３は、図１に示すように、第１のフック１２よりも魚用キャップ１０の筒軸方向末端側の位置で、ワイヤ１１の末端部に取り付けられている。第２のフック１３の形状は、第１のフック１２と同じであり、第２のフック１３の長さ及び幅は、第１のフック１２の長さ及び幅の半分程度である。なお、第２のフック１３の針先部分の先端部には返しが形成されている。
【００４８】
―作用・効果―
実施形態では、魚用キャップ１０が魚Ｆの頭部を覆うので、水の抵抗による、この魚Ｆの損傷を抑えることができる。すなわち、餌持ちをよくすることができる。
【００４９】
また、実施形態では、魚用キャップ１０には、先端側から末端側に向かって徐々に太くなる第２部１０ｄが設けられているので、第２部１０ｄが魚Ｆの頭部の形状に適合し、魚Ｆの頭部を覆いやすくなる。また、魚用キャップ１０は弾性体から構成されているので、魚Ｆの頭部の形状及び大きさに適合するように弾性変形でき、魚Ｆの頭部をぴったりと覆うことができる。その結果、魚用キャップ１０がこの魚Ｆに密着しやすくなり、魚Ｆが損傷を受けるのを抑えることができる。すなわち、餌持ちをよくすることができる。
【００５０】
また、実施形態では、魚用キャップ１０は、左側及び右側から見て略Ｖ字状に形成された開口端部１０ｅの先端側に、筒軸方向に延びるスリット１０ｆが形成されているので、魚Ｆの頭部の太さが魚用キャップ１０の太さよりも大きい場合でも、スリット１０ｆが開くように大きく弾性変形して魚Ｆの頭部を覆うことができる。
【００５１】
また、実施形態では、魚用キャップ１０の外周面ｓに、外周面ｓから外側に突出し且つ筒軸方向に延びるひれ部１０ｇ〜１０ｉが設けられており、これらのひれ部１０ｇ〜１０ｉは、筒軸方向から見て、外周面ｓの互いに異なる位置に設けられた３つのひれ部１０ｇ〜１０ｉを含むので、潮の流れ（水流）によって魚用キャップが筒軸を中心に回転しても元に戻りやすくなる。
【００５２】
また、実施形態では、ワイヤ１１が、魚Ｆの頭部を覆う魚用キャップ１０の外側から内側まで貫通し、第１のフック１２が魚用キャップ１０の内側でワイヤ１１に取り付けられているので、ワイヤ１１に取り付けられた魚Ｆの頭部を魚用キャップ１０が覆うという構成の仕掛け用具１が得られる。すなわち、前述の魚用キャップ１０の効果を奏する具体的な仕掛け用具１が得られる。また、この魚Ｆを貫通する第１のフック１２が、スリット１０ｆに引っ掛けられ保持されるので、この魚Ｆを魚用キャップ１０に密着しやすくすることができる。その結果、魚Ｆが損傷を受けるのを抑えることができる。すなわち、餌持ちをよくすることができる。
【００５３】
また、実施形態では、第１のフック１２よりも末端側の位置でワイヤ１１に取り付けられた第２のフック１３が、魚Ｆの尾部を刺すので、第１のフック１２のみで魚Ｆを取り付ける場合に比べて、この魚Ｆをワイヤ１１に安定して取り付けることができる。すなわち、この魚Ｆがワイヤ１１から外れにくくなる。また、魚Ｆが潮の流れなどによってちぎれるなどの損傷を受けるのを抑えることができ、餌持ちをよくすることができる。
【００５４】
ところで、対象魚の喰いつきをよくするために、水中で魚Ｆに直進するようなアクションをさせたい場合がある。
【００５５】
ここで、実施形態では、魚用キャップ１０の外周面ｓに、外周面ｓから外側に突出し且つ筒軸方向に延びるひれ部１０ｇ〜１０ｉが設けられているので、魚Ｆが直進するようにアクションさせやすくなる。
【００５６】
また、実施形態では、魚用キャップ１０の筒部１０ｂは、先端側の第１部１０ｃと末端側の第２部１０ｄとを含むので、第１部１０ｃに第２の規制部材１４ｂが配置され、第２部１０ｄに第３の規制部材１４ｃ、第１のフック１２及び魚Ｆの頭部が配置される。このように、魚Ｆの頭部及び魚Ｆを取り付けるための部材を魚用キャップ１０の内側に配置する構成により、魚用キャップ１０の外周面ｓに、水流に干渉して魚Ｆの直進の妨げとなるような部材が少ない。このため、魚Ｆが直進するようにアクションさせやすくなるという効果が更に高くなる。
【００５７】
ところで、対象魚の喰いつきをよくするために、水中で魚Ｆを降下させやすくしたい場合がある。例えば、対象魚が太刀魚である場合である。
【００５８】
ここで、実施形態では、魚用キャップ１０には、第１のひれ部１０ｇが下側に設けられている。そして、第２のひれ部１０ｈ及び第３のひれ部１０ｉを筒軸方向に沿って見ると、図３に示すように、第１のひれ部１０ｇを通る直線を対称軸として互いに線対称である。このため、魚用キャップ１０の下側から上側へ向かう水流が、魚用キャップ１０の右側と左側とで均等になりやすく、安定して魚用キャップ１０及び魚Ｆを降下させやすい。また、第２のひれ部１０ｈ及び第３のひれ部１０ｉは、各板面の面積が第１のひれ部１０ｇよりも小さいので、魚用キャップ１０の下側から上側へ向かう水流に干渉しすぎて、魚用キャップ１０及び魚Ｆの降下を妨げるということが起こりにくくなる。以上より、水中で魚Ｆを降下させやすくなる。
【００５９】
ところで、従来、魚Ｆを水中で動かすための仕掛け用具として、魚Ｆをワイヤなどで巻き縛って取り付けるテンヤを用いたものが知られている。しかし、魚Ｆをワイヤなどで巻き縛ってテンヤに取り付けるのは手間がかかる。
【００６０】
ここで、実施形態では、ワイヤ１１に取り付けられた第１のフック１２が魚Ｆを刺して貫通するので、この魚Ｆをワイヤ１１に容易に取り付けることができる。
【００６１】
＜その他の実施形態＞
仕掛け用具１の各部材の形状及び寸法は、魚用キャップ１０が魚Ｆの頭部を覆うことができればよく、前記実施形態に限られない。
【００６２】
また、前記実施形態では、魚用キャップ１０は、魚Ｆの頭部の全体を覆うが、魚Ｆの頭部の一部を覆っていてもよい。
【００６３】
また、前記実施形態の魚用キャップ１０では、ワイヤ１１が通る貫通孔ｈは、魚用キャップ１０の先端部を構成する円柱部１０ａに貫通孔ｈが設けられるが、この構成に限られない。例えば、貫通孔ｈは、筒部１０ｂの筒軸方向先端部寄り（筒軸方向中央より先端側）の位置に設けられていてもよい。
【００６４】
また、前記実施形態では、第１のフック１２及び第２のフック１３を取り付ける線材としてワイヤ１１を用いるが、ワイヤ１１に代えて、ナイロン又はフロロカーボンなどのラインを用いてもよい。
【００６５】
また、前記実施形態では、仕掛け用具１は、魚Ｆを取り付けるために第１のフック１２及び第２のフック１３を用いるが、これらを用いることに限られず、魚Ｆを取り付けることができればよい。例えば、第２のフック１３を用いず、第１のフック１２のみを用いてもよく、又は、第１のフック１２及び第２のフック１３に加え、更にほかのフックを用いてもよい。
【００６６】
また、前記実施形態では、第２のフック１３は、魚Ｆの尾部を刺すが、第１のフック１２よりも末端側でワイヤ１１に取り付けられていればよく、例えば、魚Ｆの胴部を刺してもよい。
【００６７】
また、前記実施形態では、ひれ部は、第１のひれ部１０ｇ〜第３のひれ部１０ｉを含むが、この構成に限られない。
【００６８】
また、前記実施形態では、魚用キャップ１０は、蓄光性のゴムから構成されているが、これに限られない。
【００６９】
また、前記実施形態では、第１のフック１２及び第２のフック１３の針先部分の先端部には返しが形成されていなくてもよい。
【００７０】
また、前記実施形態に係る仕掛け用具１は、例えば、線材（ワイヤ又はライン）に、スナップ、錘、ビーズ、ウキを取り付けるためのウキ止めゴム、シモリ玉、フラッシャー、スプーン等が取り付けられていてもよい。
【符号の説明】
【００７１】
１        釣り用仕掛け用具
１０      魚用キャップ
ｈ        魚用キャップの貫通孔
ｓ        魚用キャップの外周面
１０ｄ    第２部（覆い部）
１０ｅ    開口端部
１０ｆ    スリット（切れ込み）
１０ｇ    第１のひれ部
１０ｈ    第２のひれ部
１０ｉ    第３のひれ部
１１      ワイヤ
１２      第１のフック
１３      第２のフック
【図１】
0003228042.tif 000003
【図２】
0003228042.tif 000004
【図３】
0003228042.tif 000005